(57)【要約】【課題】ユーザが、出力された印刷用紙を取り忘れることを軽減させる。【解決手段】１または複数のページからなる印刷書面情報を取得する画像取得部と、印刷書面情報の各ページをそれぞれ用紙に印刷する印刷実行部と、情報が印刷された印刷用紙を出力する出力部と、複数のページを印刷する順序と、印刷用紙を出力するときの印刷面の向きとを含む印刷設定情報を予め記憶した記憶部と、印刷設定情報を利用して、取得された印刷書面情報の印刷順序を設定する印刷順序設定部と、印刷設定情報を利用して、印刷書面情報が印刷された印刷用紙を出力するときの印刷面の向きを設定する印刷面向き設定部とを備え、印刷実行部が、設定された印刷順序に基づいて、取得された印刷書面情報を用紙に印刷し、出力部が、設定された印刷面の向きに基づいて、印刷された印刷用紙を出力することを特徴とする。【選択図】図６
2019123102.tif 000002
【特許請求の範囲】
【請求項１】
１または複数のページからなる印刷書面情報を取得する画像取得部と、
前記印刷書面情報の各ページをそれぞれ用紙に印刷する印刷実行部と、
前記印刷書面情報が印刷された印刷用紙を出力する出力部と、
前記複数のページを印刷する順序と、前記印刷用紙を出力するときの印刷面の向きとを含む印刷設定情報を予め記憶した記憶部と、
前記印刷設定情報を利用して、前記画像取得部によって取得された印刷書面情報の印刷順序を設定する印刷順序設定部と、
前記印刷設定情報を利用して、前記印刷実行部によって印刷書面情報が印刷された印刷用紙を出力するときの印刷面の向きを設定する印刷面向き設定部とを備え、
前記印刷実行部が、前記設定された印刷順序に基づいて、前記取得された印刷書面情報を用紙に印刷し、
前記出力部が、前記設定された印刷面の向きに基づいて、前記印刷された印刷用紙を出力することを特徴とする画像形成装置。
【請求項２】
前記印刷設定情報には、
印刷書面情報の各ページを印刷する順番と、最初に出力される印刷先頭ページと、最後に出力される印刷最終ページとを特定する印刷順序の情報と、
前記印刷用紙を出力するときに、上向きで出力するページと、下向きで出力するページとを設定した印刷面の向きの情報とが含まれることを特徴とする請求項１に記載の画像形成装置。
【請求項３】
前記印刷面向き設定部によって、前記印刷最終ページの印刷面の向きが上向きに設定されることを特徴とする請求項２に記載の画像形成装置。
【請求項４】
前記印刷順序設定部が、前記取得された印刷書面情報の印刷順序を逆順に設定し、
前記取得された印刷書面情報の最後のページを、印刷先頭ページに設定し、
前記取得された印刷書面情報の最初のページを、印刷最終ページに設定し、
前記印刷面向き設定部が、前記印刷書面情報の全てのページの印刷面の向きを、上向きに設定することを特徴とする請求項２に記載の画像形成装置。
【請求項５】
前記印刷順序設定部が、前記取得された印刷書面情報の印刷順序を正順に設定し、
前記取得された印刷書面情報の２ページ目を、印刷先頭ページに設定し、
前記取得された印刷書面情報の最初のページを、印刷最終ページに設定し、
前記印刷面向き設定部が、前記印刷書面情報の２ページ目から前記印刷書面情報の最後のページまでの印刷面の向きを下向きに設定し、印刷書面情報の最初のページの印刷面の向きを上向きに設定することを特徴とする請求項２に記載の画像形成装置。
【請求項６】
前記印刷順序設定部が、前記取得された印刷書面情報の印刷順序を正順に設定し、
前記取得された印刷書面情報の最初のページを、印刷先頭ページに設定し、
印刷書面情報を特定するための情報が記載された書面情報ページを、印刷最終ページに設定し、
前記印刷面向き設定部が、前記印刷書面情報の最初のページから前記印刷書面情報の最後のページまでの印刷面の向きを下向きに設定し、前記書面情報ページの印刷面の向きを上向きに設定することを特徴とする請求項２に記載の画像形成装置。
【請求項７】
前記印刷順序設定部が、前記取得された印刷書面情報の印刷順序を正順に設定し、
前記取得された印刷書面情報の最初のページを、印刷先頭ページに設定し、
色付き用紙を、印刷最終ページに設定し、
前記印刷面向き設定部が、前記印刷書面情報の最初のページから前記印刷書面情報の最後のページまでの印刷面の向きを下向きに設定し、
前記色付き用紙は、前記印刷書面情報を印刷する用紙の色と異なる色の用紙であることを特徴とする請求項２に記載の画像形成装置。
【請求項８】
ユーザの認証を行う認証処理部をさらに備え、
前記認証処理部によって、ユーザの認証が成功した場合に、
前記印刷順序設定部が、前記記憶部に記憶された印刷設定情報を利用して、前記画像取得部によって取得された印刷書面情報の印刷順序を設定し、
前記印刷面向き設定部が、前記記憶部に記憶された印刷設定情報を利用して、前記印刷実行部によって印刷書面情報が印刷された印刷用紙を出力するときの印刷面の向きを設定し、
前記印刷実行部が、前記設定された印刷順序に基づいて、前記取得された印刷書面情報を用紙に印刷し、
前記出力部が、前記設定された印刷面の向きに基づいて、前記印刷された印刷用紙を出力することを特徴とする請求項１に記載の画像形成装置。
【請求項９】
印刷書面情報が記憶されたプリントサーバと通信する通信部をさらに備え、
前記画像取得部が、前記プリントサーバから送信され前記通信部によって受信された印刷書面情報を取得することを特徴とする請求項１に記載の画像形成装置。
【請求項１０】
ユーザの認証を行う認証処理部と、
１または複数のページからなる印刷書面情報を取得する画像取得部と、
前記印刷書面情報の各ページをそれぞれ用紙に印刷する印刷実行部と、
前記印刷書面情報が印刷された印刷用紙を出力する出力部と、
前記複数のページを印刷する順序と、前記印刷用紙を出力するときの印刷面の向きとを含む印刷設定情報を予め記憶した記憶部と、
前記印刷設定情報を利用して、前記画像取得部によって取得された印刷書面情報の印刷順序を設定する印刷順序設定部と、
前記印刷設定情報を利用して、前記印刷実行部によって印刷書面情報が印刷された印刷用紙を出力するときの印刷面の向きを設定する印刷面向き設定部とを備えた画像形成装置の画像処理方法であって、
前記認証処理部によってユーザの認証をし、
ユーザの認証が成功した場合に、前記画像取得部が、印刷書面情報を取得し、
前記印刷順序設定部が、前記記憶部に記憶された印刷設定情報を利用して、前記画像取得部によって取得された印刷書面情報の印刷順序を設定し、
前記印刷面向き設定部が、前記記憶部に記憶された印刷設定情報を利用して、前記印刷実行部によって印刷書面情報が印刷された印刷用紙を出力するときの印刷面の向きを設定し、
前記印刷実行部が、前記設定された印刷順序に基づいて、前記取得された印刷書面情報を用紙に印刷し、
前記出力部が、前記設定された印刷面の向きに基づいて、前記印刷された印刷用紙を出力することを特徴とする画像形成装置の画像処理方法。
【発明の詳細な説明】
【技術分野】
【０００１】
この発明は、画像形成装置に関し、特に、複数の用紙に画像等の情報を印刷する場合に、情報を印刷する用紙の印刷順序と、情報を印刷した用紙の印刷面の向きを設定することが可能な画像形成装置に関する。
【背景技術】
【０００２】
従来から、コンビニエンスストアなどの店舗、市役所や図書館などの公共の施設等において、不特定のユーザが利用できる画像形成装置が設置され、文書の印刷や読取を行うサービスが利用されている。
このような店舗や公共施設では、課金制限をして、たとえば、不特定多数のユーザが印刷枚数に対応した所定の料金を支払った場合に、そのユーザが画像形成装置を利用できるようにしている。また、画像形成装置に認証機能を設け、画像形成装置の管理担当者など特定の者が画像形成装置を利用する場合には、固有のカード等を用いた認証処理を行うようにした画像形成装置もある。
【０００３】
たとえば、特許文献１では、認証装置と料金徴収装置とを備え、カード認証利用ユーザとコインベンダ利用ユーザの使用可能な機能を設定した管理テーブルを予め格納しておき、認証装置を用いてユーザ認証が行われた場合は、カード認証利用ユーザに許可された機能のみが使用できるようにし、料金徴収装置により料金を徴収した場合は、コインベンダ利用ユーザに許可された機能のみが使用できるようにして、複数のユーザによる使用が可能な状態となることを防止した画像形成装置が記載されている。
【０００４】
また、特許文献２では、印刷後の用紙を排出する排出トレイ上に排出用紙があるか否かを検出する排出用紙検出センサを備え、セットされた原稿のプリントが終了した後、排出用紙検出センサによって、排出用紙が検出されている場合に、排出用紙の取り忘れがある旨の警告メッセージを表示することにより、ユーザによる排出用紙の取り忘れを防止する画像形成装置が記載されている。
【先行技術文献】
【特許文献】
【０００５】
【特許文献１】特開２０１１−５９４４８号公報
【特許文献２】特開２００５−８２３３９号公報
【発明の概要】
【発明が解決しようとする課題】
【０００６】
しかし、店舗等に設置された画像形成装置では、印刷に長時間を要した場合や、ユーザの不注意により、印刷する元の原稿の取り忘れや、印刷した出力用紙の取り忘れが頻繁に発生している。
特に、ビジネス目的で、店舗等に設置された画像形成装置を利用する場合、印刷する文書には、個人情報や秘密情報が記載されている場合があり、個人情報等が記載された出力用紙を取り忘れると、重要な情報が漏洩する可能性があり、非常に大きな問題となる場合がある。
【０００７】
たとえば、複数ページからなる文書を、ネットワークを介したサーバから取得して印刷する場合、最終ページの印刷に時間がかかったときに、ユーザは、最終ページの前のページまでの印刷が終了した時点で、印刷が終了したと判断して、最終ページの前のページまでの印刷用紙のみを取り出して持ち帰ってしまい、その後に最終ページが出力されて、最終ページを取り忘れてしまう場合があった。
【０００８】
また、上記した従来の画像形成装置のように、認証装置と料金徴収装置とを備えて、ユーザ認証や料金徴収に対応して、使用できる機能を制限しても、ユーザの不注意により、印刷した出力用紙の取り忘れが発生するおそれがある。
さらに、排出用紙の取り忘れがある旨の警告メッセージを表示したとしても、ユーザが、その警告メッセージに気が付かない場合があり、同様に、印刷した出力用紙の取り忘れが発生するおそれがある。
【０００９】
そこで、この発明は、以上のような事情を考慮してなされたものであり、出力される印刷用紙の印刷順序と出力された用紙の印刷面の向きを工夫して、出力された印刷用紙の取り忘れを軽減させることができる画像形成装置を提供することを課題とする。
【課題を解決するための手段】
【００１０】
この発明は、１または複数のページからなる印刷書面情報を取得する画像取得部と、前記印刷書面情報の各ページをそれぞれ用紙に印刷する印刷実行部と、前記印刷書面情報が印刷された印刷用紙を出力する出力部と、前記複数のページを印刷する順序と、前記印刷用紙を出力するときの印刷面の向きとを含む印刷設定情報を予め記憶した記憶部と、前記印刷設定情報を利用して、前記画像取得部によって取得された印刷書面情報の印刷順序を設定する印刷順序設定部と、前記印刷設定情報を利用して、前記印刷実行部によって印刷書面情報が印刷された印刷用紙を出力するときの印刷面の向きを設定する印刷面向き設定部とを備え、前記印刷実行部が、前記設定された印刷順序に基づいて、前記取得された印刷書面情報を用紙に印刷し、前記出力部が、前記設定された印刷面の向きに基づいて、前記印刷された印刷用紙を出力することを特徴とする画像形成装置を提供するものである。
【００１１】
また、前記印刷設定情報には、印刷書面情報の各ページを印刷する順番と、最初に出力される印刷先頭ページと、最後に出力される印刷最終ページとを特定する印刷順序の情報と、前記印刷用紙を出力するときに、上向きで出力するページと、下向きで出力するページとを設定した印刷面の向きの情報とが含まれることを特徴とする。
【００１２】
また、前記印刷面向き設定部によって、前記印刷最終ページの印刷面の向きが上向きに設定されることを特徴とする。
これによれば、最後に出力される印刷最終ページの印刷面の向きが上向きに設定されるので、ユーザは、印刷された用紙を裏返したり並べ替えたりする必要がなく、最後に出力された印刷最終ページの印刷面を容易に見ることができ、最後に出力された印刷最終ページに記載された内容を確認することにより、印刷しようとした印刷書面情報のすべてのページが出力されていることを判断することができ、印刷用紙の一部分の取り忘れを軽減させることができる。
【００１３】
また、前記印刷順序設定部が、前記取得された印刷書面情報の印刷順序を逆順に設定し、前記取得された印刷書面情報の最後のページを、印刷先頭ページに設定し、前記取得された印刷書面情報の最初のページを、印刷最終ページに設定し、前記印刷面向き設定部が、前記印刷書面情報の全てのページの印刷面の向きを、上向きに設定することを特徴とする。
これによれば、最後に印刷されるページ（印刷最終ページ）が印刷書面情報の最初のページであり、最後に印刷されるページの印刷面は上向きであるので、印刷が完了した状態では、ユーザは、印刷書面情報の最初のページの印刷面が容易に確認できる。また、印刷最終ページが印刷書面情報の最初のページであることを理解しているユーザは、出力された複数の用紙のうち、最も上にある用紙の印刷面が、印刷書面情報の最初のページの印刷面であることを確認することにより、すべての用紙の印刷が完了したことを認識できるので、一部の印刷用紙がまだ出力されていない状態で用紙を取り去ってしまうことを防止できる。
【００１４】
また、前記印刷順序設定部が、前記取得された印刷書面情報の印刷順序を正順に設定し、前記取得された印刷書面情報の２ページ目を、印刷先頭ページに設定し、前記取得された印刷書面情報の最初のページを、印刷最終ページに設定し、前記印刷面向き設定部が、前記印刷書面情報の２ページ目から前記印刷書面情報の最後のページまでの印刷面の向きを下向きに設定し、印刷書面情報の最初のページの印刷面の向きを上向きに設定することを特徴とする。
これによれば、印刷最終ページが印刷書面情報の最初のページであることを理解しているユーザは、出力された複数の用紙のうち、最も上にある用紙の印刷面が、印刷書面情報の最初のページの印刷面であることを確認することにより、すべての用紙の印刷が完了したことを認識できるので、一部の印刷用紙がまだ出力されていない状態で用紙を取り去ってしまうことを防止できる。
【００１５】
また、前記印刷順序設定部が、前記取得された印刷書面情報の印刷順序を正順に設定し、前記取得された印刷書面情報の最初のページを、印刷先頭ページに設定し、印刷書面情報を特定するための情報が記載された書面情報ページを、印刷最終ページに設定し、前記印刷面向き設定部が、前記印刷書面情報の最初のページから前記印刷書面情報の最後のページまでの印刷面の向きを下向きに設定し、前記書面情報ページの印刷面の向きを上向きに設定することを特徴とする。
これによれば、印刷最終ページが書面情報ページであることを理解しているユーザは、出力された複数の用紙のうち、最も上にある用紙の印刷面が、書面情報ページの印刷面であることを確認することにより、すべての用紙の印刷が完了したことを認識できるので、一部の印刷用紙がまだ出力されていない状態で用紙を取り去ってしまうことを防止できる。
【００１６】
また、前記印刷順序設定部が、前記取得された印刷書面情報の印刷順序を正順に設定し、前記取得された印刷書面情報の最初のページを、印刷先頭ページに設定し、色付き用紙を、印刷最終ページに設定し、前記印刷面向き設定部が、前記印刷書面情報の最初のページから前記印刷書面情報の最後のページまでの印刷面の向きを下向きに設定し、前記色付き用紙は、前記印刷書面情報を印刷する用紙の色と異なる色の用紙であることを特徴とする。
これによれば、印刷最終ページが色付き用紙であることを理解しているユーザは、出力された複数の用紙のうち、最も上にある用紙の色が、他の印刷用紙と異なることを確認することにより、すべての用紙の印刷が完了したことを認識できるので、一部の印刷用紙がまだ出力されていない状態で用紙を取り去ってしまうことを防止できる。
【００１７】
また、ユーザの認証を行う認証処理部をさらに備え、前記認証処理部によって、ユーザの認証が成功した場合に、前記印刷順序設定部が、前記記憶部に記憶された印刷設定情報を利用して、前記画像取得部によって取得された印刷書面情報の印刷順序を設定し、前記印刷面向き設定部が、前記記憶部に記憶された印刷設定情報を利用して、前記印刷実行部によって印刷書面情報が印刷された印刷用紙を出力するときの印刷面の向きを設定し、前記印刷実行部が、前記設定された印刷順序に基づいて、前記取得された印刷書面情報を用紙に印刷し、前記出力部が、前記設定された印刷面の向きに基づいて、前記印刷された印刷用紙を出力することを特徴とする。
【００１８】
また、印刷書面情報が記憶されたプリントサーバと通信する通信部をさらに備え、前記画像取得部が、前記プリントサーバから送信され前記通信部によって受信された印刷書面情報を取得することを特徴とする。
【００１９】
また、この発明は、ユーザの認証を行う認証処理部と、１または複数のページからなる印刷書面情報を取得する画像取得部と、前記印刷書面情報の各ページをそれぞれ用紙に印刷する印刷実行部と、前記印刷書面情報が印刷された印刷用紙を出力する出力部と、前記複数のページを印刷する順序と、前記印刷用紙を出力するときの印刷面の向きとを含む印刷設定情報を予め記憶した記憶部と、前記印刷設定情報を利用して、前記画像取得部によって取得された印刷書面情報の印刷順序を設定する印刷順序設定部と、前記印刷設定情報を利用して、前記印刷実行部によって印刷書面情報が印刷された印刷用紙を出力するときの印刷面の向きを設定する印刷面向き設定部とを備えた画像形成装置の画像処理方法であって、前記認証処理部によってユーザの認証をし、ユーザの認証が成功した場合に、前記画像取得部が、印刷書面情報を取得し、前記印刷順序設定部が、前記記憶部に記憶された印刷設定情報を利用して、前記画像取得部によって取得された印刷書面情報の印刷順序を設定し、前記印刷面向き設定部が、前記記憶部に記憶された印刷設定情報を利用して、前記印刷実行部によって印刷書面情報が印刷された印刷用紙を出力するときの印刷面の向きを設定し、前記印刷実行部が、前記設定された印刷順序に基づいて、前記取得された印刷書面情報を用紙に印刷し、前記出力部が、前記設定された印刷面の向きに基づいて、前記印刷された印刷用紙を出力することを特徴とする画像形成装置の画像処理方法を提供するものである。
【発明の効果】
【００２０】
この発明によれば、記憶部に予め記憶された印刷設定情報を利用して、画像取得部によって取得された印刷書面情報の印刷順序を設定し、さらに、印刷設定情報を利用して、印刷実行部によって印刷書面情報が印刷された印刷用紙を出力するときの印刷面の向きを設定し、印刷実行部が、設定された印刷順序に基づいて、取得された印刷書面情報を用紙に印刷し、出力部が、設定された印刷面の向きに基づいて、印刷された印刷用紙を出力するので、ユーザが、出力された印刷用紙の一部分を取り忘れることを軽減させることができる。
【図面の簡単な説明】
【００２１】
【図１】この発明の画像処理システムの一実施例の概略接続図である。
【図２】この発明の画像形成装置の一実施例の構成ブロック図である。
【図３】この発明の画像形成装置に記憶される印刷設定情報の一実施例の説明図である。
【図４】この発明の各実施例の印刷順序と印刷面の向きの説明図である。
【図５】この発明の逆順印刷と正順印刷の一実施例の説明図である。
【図６】この発明の画像形成装置の印刷処理の一実施例のフローチャートである。
【図７】この発明の画像形成装置における実施例１の印刷処理のフローチャートである。
【図８】この発明の画像形成装置における実施例２の印刷処理のフローチャートである。
【図９】この発明の画像形成装置における実施例３の印刷処理のフローチャートである。
【図１０】この発明の画像形成装置における実施例４の印刷処理のフローチャートである。
【図１１】この発明の画像形成装置における実施例５の印刷処理のフローチャートである。
【発明を実施するための形態】
【００２２】
以下、図面を使用して本発明の実施の形態を説明する。なお、以下の実施例の記載によって、この発明が限定されるものではない。
＜画像処理システムの構成＞
図１に、この発明の画像処理システムの一実施例の概略接続図を示す。
図１において、この発明の画像処理システムは、ネットワーク５を介して接続された画像形成装置１と、情報処理装置２と、認証サーバ３と、プリントサーバ４とから構成される。
ただし、認証処理を画像形成装置１で行う場合は、認証サーバ３はなくてもよく、印刷する画像情報等を情報処理装置２から取得する場合や画像形成装置１で入力する場合は、プリントサーバ４はなくてもよい。
【００２３】
ネットワーク５としては、構内ネットワーク（ＬＡＮ）や、インターネットなどの広域ネットワークなど、現在利用可能ないずれかの有線または無線のネットワークを利用すればよい。
たとえば、同一の構内に配置された画像形成装置１と、複数の情報処理装置（ＰＣ）２とが、構内ネットワーク（ＬＡＮ）５を介して接続される。
また、画像形成装置１と、認証サーバ３およびプリントサーバ４とは、インターネット５を介して接続される。
【００２４】
情報処理装置（以下、PCとも呼ぶ）２は、パソコン、タブレット端末、スマートフォン、その他の携帯端末などの電子機器である。この発明では、主として、画像形成装置を利用するユーザ所有の装置であり、画像や文字等からなる書面情報を作成し、その書面情報を画像形成装置１に送信する装置として説明する。
【００２５】
画像形成装置１は、書面情報を処理する装置であり、少なくとも、画像や文字等が記載された書面情報を、用紙に印刷する機能を有する装置である。たとえば、印刷機能を持つプリンタや、複写機能、印刷機能、スキャナ機能、ＦＡＸ機能、および通信機能などを備えた複合機（ＭＦＰ：Multifunction Peripheral）である。
【００２６】
また、画像形成装置１が店舗や公共施設に設置される場合は、特定のユーザの認証を行い、認証に成功したユーザのみに画像形成装置の特定の機能を利用できるようにする認証機能を有する。さらに、店舗等に来た不特定多数のユーザが、画像形成装置を利用する場合は、認証処理は行わずに、印刷を実行する前に、印刷に必要な料金の徴収を行い、支払われた金額に相当する所定の機能の実行を許可する課金機能を有する。
認証に成功したユーザが、画像形成装置１を利用する場合は、利用時には課金せずに、後日、たとえば、月ごとにまとめて、使用料金を徴収するものとしてもよい。
画像形成装置１を利用するユーザが、認証機能と課金機能のどちらを利用するかは、最初にユーザが所定の入力操作をすることにより、認証機能を利用する認証モードと、課金機能を利用する課金モードのいずれかを選択するようにすればよい。
【００２７】
認証サーバ３は、たとえば、認証処理を専門とする認証管理センターなどの外部機関に設置され、特定のユーザの認証情報を、予め記憶している。
ユーザが、認証機能を使用して画像形成装置１を利用する場合は、ユーザ固有の情報が記録された認証用カードや指紋などの認証情報を、画像形成装置１で入力し、入力された認証情報を、認証サーバ３に送信して、認証サーバ３において、送信された認証情報と、認証サーバ３に予め記憶されたユーザの認証情報とを比較して、認証処理を行い、認証結果を、画像形成装置１に返信する。
認証に成功した場合に、ユーザは、画像形成装置１の所定の機能を利用することができるようになる。
【００２８】
プリントサーバ４は、多数のユーザが作成した印刷目的の文書データや画像データなどの印刷書面情報を予め記憶している装置であり、データ管理センターなどの外部機関や、ユーザの所属する企業に設置される。
たとえば、ユーザが、自己の所有する情報処理装置ＰＣで、書面情報を作成した場合、後でその書面情報を印刷するために、作成した書面情報をプリントサーバ４に転送して、プリントサーバ４に保存しておく。
【００２９】
店舗等に設置された画像形成装置１において、ユーザが印刷書面情報を印刷する場合は、ユーザがその画像形成装置１のところに出向き、画像形成装置１で所定の入力操作をして、プリントサーバ４に保存されている所望の印刷書面情報をプリントサーバ４から取得し、その画像形成装置１で印刷を実行する。
印刷しようとする印刷書面情報が、複数ページからなる情報の場合は、各ページの情報が複数枚の用紙に順次印刷され、印刷された用紙が所定の順序で出力される。
印刷された１または複数枚の用紙は、画像形成装置１の所定の排紙トレイや排紙位置に出力されるので、ユーザは、排紙トレイ等から出力された印刷用紙を取り出して、持って帰る。
【００３０】
この発明では、印刷用紙の最終ページが出力されたことをユーザが容易に認識できるように、出力される印刷用紙の印刷順序と、出力された用紙の印刷面の向きを工夫して、ユーザが、出力された印刷用紙を取り忘れることを防止する。
特に、認証に成功したユーザが、印刷時には料金を支払わずに、印刷処理を実行した場合に、出力された印刷用紙の取り忘れを軽減させることを特徴とする。
【００３１】
＜画像形成装置の構成の説明＞
図２に、この発明の画像形成装置の一実施例の構成ブロック図を示す。
図２において、この発明の画像形成装置１は、主として、制御部１１、操作部１２、画像取得部１３、表示部１４、通信部１５、出力部１６、認証処理部１７，課金処理部１８，印刷順序設定部１９、印刷面向き設定部２０、印刷実行部２１、記憶部５０を備える。
【００３２】
制御部１１は、画像取得部などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の画像取得機能、印刷機能などを実行する。
また、上記構成要素のうち、認証処理部１７，課金処理部１８，印刷順序設定部１９、印刷面向き設定部２０は、ＣＰＵが、所定のプログラムに基づいて、ソフトウェア的な処理によって実行される機能ブロックである。
【００３３】
操作部１２は、文字などの情報の入力や、機能の選択入力をする部分であり、たとえば、キーボード、マウス、タッチパネルなどが用いられる。
画像形成装置１を利用しようとするユーザは、操作部１２によって、たとえば、認証モードと、課金モードのいずれかを選択する。
認証モードを選択した場合は、ユーザの認証情報を入力する操作をする。
また、プリントサーバ４に予め保存しておいた印刷書面情報を取得するための入力操作をする。
あるいは、印刷順序や出力用紙の印刷面の向きなどを予め設定した複数の印刷設定情報が、記憶部５０に記憶されている場合は、どの印刷設定情報を用いるかを、ユーザが選択入力してもよい。
【００３４】
画像取得部１３は、画像情報など所定の情報を取得する部分であり、特に、印刷することを目的とした１または複数のページからなる印刷書面情報を取得する部分である。
たとえば、画像データや文字図形等が記載された書面の情報を、画像データとして読み取り、読み取られた画像データは、１つの書面情報として、記憶部５０に記憶される。
特に、印刷することを目的とした書面の情報は、印刷できる形式の１又は複数のページからなる画像データに変換され、印刷書面情報として、記憶部５０に記憶されるものとする。
記憶された印刷書面情報が、複数のページからなる場合、最初のページ（１ページ目）をP1、２ページ目をP2、最後のページをPnと称するものとする。
【００３５】
画像取得部１３としては、画像データを読み取るスキャナや、ＵＳＢメモリなどの外部の記憶媒体を接続するインタフェースが該当する。
印刷書面情報を入力する方法は種々の方法があるが、たとえば、文字等の情報が記載された１枚の書面をスキャナで読み取り、読み取った書面の画像データを、印刷書面情報として記憶部５０に記憶する。
【００３６】
また、入力したい画像や書面などの電子データファイルを、ＵＳＢメモリなどの外部の記憶媒体に保存しておき、ＵＳＢメモリ等をＵＳＢ端子などの入力インタフェースに接続し、操作部１２で所定の入力操作を行うことによって、ＵＳＢメモリ等に保存された所望の電子データファイルを読み出して、記憶部５０に記憶する。
【００３７】
印刷書面情報を入力する方法は、以上のものに限るものではなく、ネットワーク５を介して、情報処理装置２やプリントサーバ４等から、印刷書面情報を受信してもよい。
たとえば、ユーザが、操作部１２を用いて所定の入力操作をすることにより、通信部１５によって、情報処理装置２で作成された印刷書面情報を受信して取得してもよい。あるいは、プリントサーバ４に記憶されている印刷書面情報を通信部１５によって受信して取得してもよい。
【００３８】
表示部１４は、情報を表示する部分であり、各機能の実行に必要な情報や、機能の実行の結果などを、利用者に知らせるために表示する。たとえば、LCD、有機ELディスプレイなどが用いられ、操作部１２としてタッチパネルが用いられる場合は、表示部とタッチパネルとが重ね合わせて配置される。
【００３９】
通信部１５は、ネットワーク５に接続して、ネットワークに接続された情報処理装置PC２、認証サーバ３、プリントサーバ４などと通信し、認証要求情報や印刷書面情報などを送受信する部分である。
通信方式としては、既存のあらゆる規格に基づく通信方式を利用することができ、有線通信および無線通信のどちらを利用してもよい。
【００４０】
たとえば、情報処理装置（PC）２において、ユーザが印刷書面情報を作成しておき、その印刷書面情報を印刷するために、ユーザが、画像形成装置１において、印刷書面情報の取得要求を入力すると、その印刷書面情報を特定した取得要求が情報処理装置２に送信され、情報処理装置２によってその取得要求が受信されると、印刷書面情報が情報処理装置２から画像形成装置１に送信され、通信部１５によって受信される。
【００４１】
また、プリントサーバ４に、ユーザの印刷書面情報が記憶されている場合、ユーザが、画像形成装置１において、ユーザの印刷書面情報の取得要求を入力すると、その印刷書面情報を特定した取得要求が、プリントサーバ４に送信され、プリントサーバ４によってその取得要求が受信されると、印刷書面情報がプリントサーバ４から画像形成装置１に送信され、通信部１５によって受信される。
【００４２】
また、ユーザが、画像形成装置１において、ユーザの認証情報が記憶された認証用カードを読み取らせ、ユーザの認証情報の認証要求を入力すると、そのユーザの認証要求が認証サーバ３に送信され、認証サーバ３によってその認証要求が受信されると、認証サーバ３によって、ユーザの認証処理が実行され、その認証結果が認証サーバ３から画像形成装置１に送信され、通信部１５によって受信される。
さらに、画像形成装置１において印刷が完了した場合、通信部１５によって、印刷が完了したことを示す情報をユーザが所有する情報処理装置２に送信し、情報処理装置２で、印刷が完了したことを表示し、または音声やアラーム音でユーザに通知してもよい。
【００４３】
出力部１６は、所定の印刷書面情報が印刷された印刷用紙を出力する部分である。
特に、後述する印刷面向き設定部２０によって設定された印刷面の向きに基づいて、印刷された印刷用紙を出力する。
複数枚の印刷用紙を出力する場合は、最初に出力された印刷用紙の上に、次に出力される印刷用紙が重なるように排出され、さらに次に出力される印刷用紙がその上に重なるように排出され、全ての印刷用紙の出力が完了した状態では、最後に出力された印刷用紙が、最も上にある状態となる。したがって、最後に出力された印刷用紙の表面（上向きの面）が、すぐに見える状態となっている。
【００４４】
出力部１６は、たとえば、記憶部５０に記憶された印刷書面情報を紙媒体に印刷して出力するプリンタに相当する。あるいは、記憶部５０に記憶された印刷書面情報を、ＵＳＢメモリなどの外部の記憶媒体に出力してもよい。
ただし、この発明では、印刷すべき情報を紙媒体に印刷する場合に、出力されたすべての用紙の取り忘れを防止し、最終ページまで出力されたことをユーザが容易かつ確実に認識できるようにするために、複数のページからなる情報の印刷順序や、出力される紙媒体の印刷面の向きを設定することに特徴があるので、以下の実施例では、印刷書面情報は、紙媒体に印刷して出力するものとする。
【００４５】
認証処理部１７は，画像形成装置を利用しようとするユーザの認証を行う部分である。認証処理は、従来から利用されているいずれかの認証方法を用いればよい。たとえば、ユーザの認証情報が記憶された認証用カードを読み取るカード認証、指紋などのユーザ固有の情報を読み取る生体認証、携帯端末の固有IDを利用した携帯端末認証などを利用すればよい。
カード認証などで読み取られたユーザの認証情報は、記憶部に一時記憶され、たとえば、認証サーバ３に転送されて、認証サーバ３に予め保存されているユーザの認証情報と照合され、認証結果が、画像形成装置１に返信される。
あるいは、比較対象となるユーザの認証情報が、画像形成装置１に予め保存されている場合は、画像形成装置１で、読み取られたユーザの認証情報と、保存されているユーザの認証情報との照合を行ってもよい。
【００４６】
課金処理部１８は，画像形成装置を利用しようとする不特定多数のユーザが、所定の金額の金銭を入金したか否かを確認する部分である。
たとえば、機能ごとに設定された料金からなる課金情報を予め記憶部に記憶しておき、ユーザが所望の機能を利用する前に、課金情報を利用して、その機能を利用するために必要な金銭が入金されたか否かを確認する。
必要な金銭が入金された場合に、所望の機能の利用を許可する。
上記のような認証処理を行わずに画像形成装置を利用する場合は、ユーザは、課金処理を行う課金モードを選択し、必要な金銭を入金した後に、所望の機能を利用する。
たとえば、１０枚の原稿書面のコピーを行う場合は、１０枚の原稿書面をコピーするのに必要な金銭が入金されたことを確認した後に、１０枚の原稿書面のコピーが可能となる。
このような課金モードにおけるコピー機能は、従来の複合機でも実施されているが、不特定多数のユーザが利用するので、高速にコピー機能を実行するために、読み取った原稿書面のページの順序で、印刷面が下向きになった状態で、印刷用紙を出力することが好ましい。
【００４７】
印刷順序設定部１９は、記憶部に予め記憶された印刷設定情報を利用して、画像取得部１３によって取得された印刷書面情報の印刷順序を設定する部分である。
印刷する印刷書面情報が複数のページからなる場合に、各ページを印刷する順番を設定する。
たとえば、複数のページからなる印刷書面情報を正順に印刷するか、あるいは逆順に印刷するかを設定する。
印刷する書面がｎ枚のページからなる場合において、ページ番号の順に印刷することを正順印刷と呼び、最初に１ページ目を印刷し出力し、最後にｎページ目を印刷し出力する。
一方、ページ番号の順とは逆に印刷することを逆順印刷と呼び、最初にｎページ目を印刷し出力し、最後に１ページ目を印刷し出力する。
【００４８】
印刷順序の設定は、記憶部５０に予め記憶されている印刷設定情報を利用して行えばよい。複数の印刷設定情報が予め記憶されている場合は、優先的に使用する１つの印刷設定情報を予め決定しておくか、あるいは、印刷をするごとにその都度、ユーザによって、使用する印刷設定情報を選択入力してもらうようにしてもよい。
あるいは、印刷順序を設定するための画面を表示部１４に表示させて、ユーザに、「正順」または「逆順」のいずれかを選択入力してもらうようにしてもよい。
【００４９】
印刷順序の設定は、「正順」または「逆順」を設定するだけではなく、最初に出力されるページ（印刷先頭ページ）と、最後に出力されるページ（印刷最終ページ）を設定してもよい。
後述する図３の印刷設定情報では、印刷順序と、印刷先頭ページと、印刷最終ページとを設定した情報を示している。
印刷順序の設定として、「正順」または「逆順」のみを設定し、印刷先頭ページと印刷最終ページを設定しない場合は、印刷する書面の最初のページかまたは最後のページのどちらかが、最後に出力されるページ（印刷最終ページ）となる。
ただし、「正順」または「逆順」の設定に加えて、印刷先頭ページと印刷最終ページを設定した場合は、印刷先頭ページと印刷最終ページは自由に設定可能であり、図３に示すように、印刷最終ページとして、印刷する書面そのもの以外のページ、たとえば、書面情報ページ（バナーページとも呼ぶ）や、色付き用紙を設定してもよい。
【００５０】
書面情報ページ（バナーページ）は、印刷書面情報を特定するための情報が記載されたページであり、たとえば、印刷する書面のファイル名、作成日時、作成者名、書面内容の要約、書面サイズ、承認者、発行先名称、改訂履歴などが記載されたページである。
書面情報ページは、印刷書面情報に関連付けてユーザが予め作成してもよく、また、印刷最終ページとして書面情報ページが設定された場合に、印刷書面のファイルを特定する情報や印刷書面の内容を利用して、自動的に書面情報ページを作成してもよい。
【００５１】
色付き用紙は、印刷書面情報を印刷する用紙の色と異なる色の用紙（カラーペーパー）を意味し、印刷最終ページとして色付き用紙が設定された場合は、印刷書面情報のすべてのページが出力された後に、印刷が終了したことを示すために、最終ページとして色付き用紙が出力される。
色付き用紙の色は、ユーザが色付き用紙を見て印刷が完了したことを容易に確認できるようにするために、印刷書面情報の各ページが印刷される用紙の色と異なる色であればよい。
たとえば、印刷書面情報の各ページが印刷される用紙の色が白色であれば、色付き用紙は、白色以外（赤色、黄色など）の用紙を用いればよい。
色付き用紙には、何も印刷しなくてもよいが、印刷用紙がすべて出力されたことを示す情報などを印刷してもよい。
最終ページとして色付き用紙を設定する場合は、色付き用紙を、画像形成装置の特定の収納カセットかあるいは手差しトレイに、予め配置しておく必要がある。
【００５２】
印刷面向き設定部２０は、記憶部に予め記憶された印刷設定情報を利用して、印刷実行部２１によって印刷書面情報が印刷された印刷用紙を出力するときの印刷面の向きを設定する部分である。
複数のページからなる印刷書面情報が印刷された印刷用紙を出力するときに、印刷面を上向きで出力するページと、印刷面を下向きで出力するページとを設定する。
【００５３】
文字や図面等の情報が印刷された面が印刷面であり、片面印刷をする場合は、用紙のどちらか一方の面に、情報が印刷される。
ここでは、情報が印刷された印刷面が上に向いた状態で印刷用紙を出力するか、あるいは、情報が印刷された印刷面が下に向いた状態で印刷用紙を出力するかを設定する。
印刷面が上に向いた状態で印刷用紙を出力する場合を、フェイスアップと呼び、印刷面が下に向いた状態で印刷用紙を出力する場合を、フェイスダウンと呼ぶ。
印刷面が上に向いた状態で印刷用紙を出力した場合は、ユーザが、用紙に触らなくても、その用紙の印刷面がすぐに見える状態である。
印刷面が下に向いた状態で印刷用紙を出力した場合は、印刷面と反対の面が見えており、ユーザが、用紙を裏返すことにより、用紙の印刷面が見える状態となる。
【００５４】
たとえば、複数のページからなる印刷書面情報の全てのページの印刷面が上に向いた状態で印刷用紙を出力する場合は、全てのページの印刷面の向きを、上向き（フェイスアップ）に設定する。
一方、複数のページからなる印刷書面情報の全てのページの印刷面が下に向いた状態で印刷用紙を出力する場合は、全てのページの印刷面の向きを、下向き（フェイスダウン）に設定する。
また、印刷書面情報のページごとに、印刷面の向きを設定してもよい。
【００５５】
印刷面の向きの設定も、記憶部５０に予め記憶されている印刷設定情報を利用して行えばよい。
後述する図３の印刷設定情報では、印刷面の向きとして、上向きのページと、下向きのページとを設定したものを示している。
たとえば、印刷最終ページの印刷面の向きを、上向き（フェイスアップ）に設定し、その他のページの印刷面の向きを、下向き（フェイスダウン）に設定してもよい。
【００５６】
なお、現在利用されている画像形成装置では、出力される印刷用紙の印刷面の向きは、通常、下向き（フェイスダウン）の場合が多いので、印刷面の向きの設定をしない場合は、印刷速度を早くするために、原則として、印刷面の向きが下向き（フェイスダウン）の状態で、印刷用紙を出力すればよい。
一方、印刷面の向きが下向きとなることを原則とする画像形成装置では、印刷用紙の印刷面の向きを上向き（フェイスアップ）に設定した場合は、印刷用紙を裏返してから、排紙トレイ等に出力することになるので、印刷面の向きが下向きの場合よりも、印刷速度が遅くなる。
そこで、課金モードのように、印刷速度を早くしたい場合は、印刷面の向きは、下向き（フェイスダウン）に設定することが好ましい。
【００５７】
ただし、用紙の取り忘れを軽減するためには、印刷速度が遅くなっても、少なくとも、最後に出力される印刷最終ページの印刷面の向きは、ユーザが印刷面をすぐに確認できる上向き（フェイスアップ）に設定することが好ましい。
最後に出力される印刷最終ページの印刷面の向きが上向きに設定されていれば、ユーザは、印刷された用紙を裏返したり並べ替えたりする必要がなく、最後に出力された印刷最終ページの印刷面を容易に見ることができ、最後に出力された印刷最終ページに記載された内容を確認することにより、印刷しようとした印刷書面情報のすべてのページが出力されていることを判断することができ、印刷用紙の一部分の取り忘れを軽減させることができる。
【００５８】
印刷実行部２１は、１または複数のページからなる印刷書面情報の各ページをそれぞれ用紙に印刷する部分である。
特に、印刷順序設定部１９によって設定された印刷順序に基づいて、画像取得部１３によって取得されかつ記憶部５０に記憶された印刷書面情報を用紙に印刷する。
この発明では、後述するような記憶部５０に予め記憶された印刷設定情報に基づいて、印刷順序と、印刷面の向きが設定されて、印刷実行部２１によって、印刷書面情報の１又は複数のページの画像データが、設定された印刷順序で用紙に印刷され、設定された印刷面の向きで、各印刷用紙が出力部１６から出力される。
【００５９】
記憶部５０は、この発明の画像形成装置の各機能を実行するために必要な情報や、プログラムを記憶する部分であり、この発明では、特に、画像取得部１３によって取得された印刷書面情報を一時保存する。
記憶部５０には、ＲＯＭ、ＲＡＭ、フラッシュメモリなどの半導体記憶素子、ＨＤＤ、ＳＳＤなどの記憶装置、その他の記憶媒体が用いられる。
記憶部５０には、たとえば、印刷書面情報５１、印刷設定情報５２、認証情報５５、課金情報５６などが記憶される。
【００６０】
印刷書面情報５１は、印刷することを目的とした１または複数のページからなる文書の情報であり、印刷実行部２１によって、実際に印刷される画像データを意味する。
文書の情報が、複数ページ（最初のページP1、最後のページPn）からなる情報の場合、たとえば、複数の画像データが、それぞれページ番号が付与されて記憶される。
【００６１】
印刷設定情報５２は、印刷用紙の出力方法を予め設定したものであり、主として、印刷書面情報の複数のページを印刷する順序を示す印刷順序５３と、印刷用紙を出力するときの印刷面の向きを示す印刷面向き５４とを含む情報である。
印刷書面情報の印刷順序５３は、上記したように、複数ページからなる印刷書面情報において各ページを印刷する順番を設定した情報であり、「正順」または「逆順」のいずれかが設定される。また、印刷順序５３には、最初に出力される印刷先頭ページと、最後に出力される印刷最終ページとを特定する情報が含まれる。
印刷用紙の印刷面向き５４は、印刷用紙を出力するときに、上向きで出力するページと、下向きで出力するページとを設定した情報である。
【００６２】
印刷設定情報５２は、予め固定的に設定記憶してもよく、あるいは、画像形成装置の管理者やユーザが、設定変更できるようにしてもよい。
印刷設定情報５２としては、１つの情報のみを予め記憶してもよいが、複数の情報を記憶してもよい。
また、課金モードで利用する印刷設定情報（課金印刷設定）と、認証モードで利用する印刷設定情報（認証印刷設定）とを、それぞれ別々に記憶してもよい。
印刷設定情報５２の詳細な実施例については、後述する。
【００６３】
認証情報５５は、認証処理に利用する情報であり、画像形成装置を利用するユーザの認証をするための情報である。
認証情報５５は、たとえば、ユーザが所有している認証用のカードから読み取ったユーザを特定する情報や、ユーザの指紋など、画像形成装置を利用するときに、ユーザによって入力される情報である。
入力された認証情報５５は、たとえば認証サーバ３に転送され、認証サーバ３で認証処理が実行される。
また、画像形成装置で認証処理を実行する場合は、認証する対象となる情報が予め認証情報５５に含まれ、入力された情報と照合される。
【００６４】
課金情報５６は、課金処理に利用される情報であり、画像形成装置で利用される機能ごとに、設定された料金等の情報が予め記憶される。
課金モードが選択された場合は、課金情報５６に基づいて、所定の金額が支払われたか否かを確認し、所定の金額が支払われた場合に、コピーなどの機能が実行できるようになる。
【００６５】
＜印刷設定情報の一実施例＞
図３に、この発明の画像形成装置に記憶される印刷設定情報５２の一実施例の説明図を示す。
ここでは、印刷設定情報５２として、課金モードで利用する課金印刷設定と、認証モードで利用する４つの認証印刷設定の例を示している。
４つの認証印刷設定をすべて記憶しておく必要はなく、少なくともいずれか１つの認証印刷設定を記憶すればよい。
複数の認証印刷設定を記憶している場合は、優先的に使用する一つの認証印刷設定を予め決めておくか、あるいは、画像形成装置を利用するユーザが、使用する認証印刷設定を選択入力すればよい。
【００６６】
図３において、印刷設定情報５２の印刷順序５３としては、印刷順序（正順、逆順）と、印刷先頭ページと、印刷最終ページとを含むものを示している。
また、印刷面向き５４としては、印刷面が上向きのページと下向きのページとを設定したものを示している。
【００６７】
（認証印刷設定１）
たとえば、認証印刷設定１では、印刷順序を逆順に設定し、最初に印刷されるページ（印刷先頭ページ）が印刷書面情報の最後のページPnであり、最後に印刷されるページ（印刷最終ページ）が印刷書面情報の最初のページP1であり、印刷書面情報の最初のページP1から最後のページPnまで、全てのページの印刷面の向きが上向き（フェイスアップ）であり、印刷面の向きが下向き（フェイスダウン）のページは無いことが設定されている。
【００６８】
図５（a）に、この認証印刷設定１が採用された場合に、逆順印刷された出力用紙の状態の概略説明図を示す。
この場合は、最後に印刷されるページ（印刷最終ページ）が印刷書面情報の最初のページP1であり、最後に印刷されるページの印刷面は、上向きであり、印刷が完了した状態では、ユーザは、印刷書面情報の最初のページP1の印刷面が容易に確認できる状態である。
印刷最終ページが印刷書面情報の最初のページP1であることを理解しているユーザは、出力された複数の用紙のうち、最も上にある用紙の印刷面が、印刷書面情報の最初のページP1の印刷面であることを確認することにより、すべての用紙の印刷が完了したことを認識できるので、一部の印刷用紙がまだ出力されていない状態で用紙を取り去ってしまうことを防止できる。すなわち、印刷用紙の取り忘れを軽減することができる。
【００６９】
（認証印刷設定２）
また、図３の認証印刷設定２では、印刷順序が正順で、最初に印刷されるページ（印刷先頭ページ）が印刷書面情報の２ページ目P2であり、その後、３ページ目P3、４ページ目P4、印刷書面情報の最後のページPnが順に印刷され、最後に印刷されるページ（印刷最終ページ）が印刷書面情報の最初のページP1であり、最後に印刷される印刷書面情報の最初のページP1の印刷面の向きが上向き（フェイスアップ）であり、最初に印刷される２ページ目P2から最後のページPnまでの印刷面の向きが下向き（フェイスダウン）であることが設定されている。
【００７０】
この場合も、印刷最終ページが印刷書面情報の最初のページP1であることを理解しているユーザは、出力された複数の用紙のうち、最も上にある用紙の印刷面が、印刷書面情報の最初のページP1の印刷面であることを確認することにより、すべての用紙の印刷が完了したことを認識できるので、一部の印刷用紙がまだ出力されていない状態で用紙を取り去ってしまうことを防止できる。すなわち、印刷用紙の取り忘れを軽減することができる。
また、印刷書面情報の最初のページP1を除く２ページ目P2から最後のページPnまでの印刷面の向きが下向き（フェイスダウン）であるので、出力用紙の印刷面が原則として下向き（フェイスダウン）となる画像形成装置では、認証印刷設定１の場合に比べて、認証印刷設定２の方が、印刷の高速化を図ることができる。
【００７１】
（認証印刷設定３）
また、図３の認証印刷設定３では、印刷順序が正順で、最初に印刷されるページ（印刷先頭ページ）が印刷書面情報の最初のページP1であり、その後、２ページ目P2、３ページ目P3、印刷書面情報の最後のページPnが順に印刷され、最後に印刷されるページ（印刷最終ページ）が書面情報ページP0であり、最後に印刷される書面情報ページP0の印刷面の向きが上向き（フェイスアップ）であり、最初に印刷される最初のページP1から最後のページPnまでの印刷面の向きが下向き（フェイスダウン）であることが設定されている。
書面情報ページP0は、上記したように、印刷書面情報の文書名などが印刷されたページである。
【００７２】
図５（b）に、この認証印刷設定３が採用された場合に、正順印刷された出力用紙の状態の概略説明図を示す。
この場合は、最後に印刷されるページ（印刷最終ページ）が書面情報ページP0であり、最後に印刷されるページP0の印刷面は、上向きであり、印刷が完了した状態では、ユーザは、書面情報ページP0の印刷面が容易に確認できる状態である。
また、書面情報ページP0以外の最初のページP1から最後のページPnまでの印刷面の向きは下向き（フェイスダウン）である。
【００７３】
この場合は、印刷最終ページが書面情報ページP0であることを理解しているユーザは、出力された複数の用紙のうち、最も上にある用紙の印刷面が、書面情報ページP0の印刷面であることを確認することにより、すべての用紙の印刷が完了したことを認識できるので、一部の印刷用紙がまだ出力されていない状態で用紙を取り去ってしまうことを防止できる。すなわち、印刷用紙の取り忘れを軽減することができる。
また、書面情報ページP0を除く印刷文書のすべてのページ（P1からPnまで）の印刷面の向きが下向き（フェイスダウン）であるので、出力用紙の印刷面が原則として下向き（フェイスダウン）となる画像形成装置では、認証印刷設定１の場合に比べて、認証印刷設定３の方が、印刷の高速化を図ることができる。
【００７４】
（認証印刷設定４）
また、図３の認証印刷設定４では、印刷順序が正順で、最初に印刷されるページ（印刷先頭ページ）が印刷書面情報の最初のページP1であり、その後、２ページ目P2、３ページ目P3、印刷書面情報の最後のページPnが順に印刷され、最後に印刷（出力）されるページ（印刷最終ページ）が色付き用紙であり、最後に印刷される色付き用紙の印刷面の向きは設定されず、最初に印刷される最初のページP1から最後のページPnまでの印刷面の向きが下向き（フェイスダウン）であることが設定されている。
色付き用紙は、上記したように、印刷書面情報が印刷される用紙と異なる色の用紙である。
【００７５】
この場合は、印刷最終ページが色付き用紙であることを理解しているユーザは、出力された複数の用紙のうち、最も上にある用紙の色が、他の印刷用紙と異なることを確認することにより、すべての用紙の印刷が完了したことを認識できるので、一部の印刷用紙がまだ出力されていない状態で用紙を取り去ってしまうことを防止できる。すなわち、印刷用紙の取り忘れを軽減することができる。
また、色付き用紙を除く印刷文書のすべてのページ（P1からPnまで）の印刷面の向きが下向き（フェイスダウン）であるので、出力用紙の印刷面が原則として下向き（フェイスダウン）となる画像形成装置では、認証印刷設定１の場合に比べて、認証印刷設定４の方が、印刷の高速化を図ることができる。
【００７６】
（課金印刷設定）
また、図３の課金モードで利用する課金印刷設定では、印刷順序が正順で、最初に印刷されるページ（印刷先頭ページ）が印刷書面情報の最初のページP1であり、その後、２ページ目P2、３ページ目P3というように、順に印刷され、最後に印刷されるページ（印刷最終ページ）が印刷書面情報の最後のページPnであり、印刷面の向きが上向きになる用紙は無く、最初に印刷される最初のページP1から最後のページPnまでの印刷面の向きが下向き（フェイスダウン）であることが設定されている。
【００７７】
この課金印刷設定では、印刷書面情報のすべてのページ（P1からPnまで）の印刷面の向きが下向き（フェイスダウン）であるので、出力用紙の印刷面が原則として下向き（フェイスダウン）となる画像形成装置では、印刷の高速化を図ることができる。
ただし、課金モードにおいても、用紙の取り忘れを軽減させるためには、最後に印刷されるページ（印刷最終ページ）である印刷書面情報の最後のページPnのみについて、印刷面の向きを上向き（フェイスアップ）に設定してもよい。
あるいは、最後に印刷（出力）されるページ（印刷最終ページ）を、印刷面が上向きの書面情報ページP0か、あるいは、色付き用紙に設定してもよく、この場合は、印刷最終ページについては課金しないようにすればよい。
【００７８】
＜この発明の印刷処理の実施例＞
以下に、この発明の印刷処理のいくつかの実施例について説明する。
各実施例では、図３に示した印刷設定情報５２のうち、いずれかを利用して印刷処理を実行するものとする。
図４に、この発明の各実施例について、印刷順序と出力用紙の印刷面の向きの説明図を示す。
図４では、実施例ごとに、ユーザ認証の要否と、印刷順序と、出力用紙の印刷面の向きを示している。
実施例１から実施例４までの印刷処理は、ユーザの認証を必要とする認証モードでの印刷処理である。
実施例５は、ユーザの認証を必要とはしないが、所定の料金の支払いを前提とする課金モードでの印刷処理である。
【００７９】
実施例１では、図３に示した認証印刷設定１を利用して、印刷処理を行う。
すなわち、図４に示した実施例１の印刷順序と出力用紙の印刷面の向きは、図３に示した認証印刷設定１と同じ内容が示されている。図４に示した印刷順序等の内容は、図３に示したものと同様なので、説明を省略する。
同様に、実施例２から実施例４の印刷処理では、それぞれ、図３に示した認証印刷設定２から認証印刷設定４を利用する。
実施例５では、図３に示した課金印刷設定を利用して、印刷処理を行い、図４に示した実施例５の印刷順序と出力用紙の印刷面の向きは、図３に示した課金印刷設定と同じ内容が示されている。
【００８０】
（画像形成装置の印刷処理の概要説明）
図６に、この発明の画像形成装置の印刷処理の一実施例のフローチャートを示す。
ここでは、課金モードを含めた全体的な印刷処理のフローチャートを示す。
また、ユーザが、画像形成装置が設置されている店舗等に出向き、複数のページからなる所望の文書を印刷する機能を実行させるものとする。
印刷処理は、両面印刷でもよいが、片面印刷をするものとする。
印刷する文書は、紙媒体の形式でユーザが持参してもよいし、文書の電子データを、ＵＳＢメモリのような記録媒体に保存して持参してもよく、プリントサーバ４に予め保存しておいてもよい。
【００８１】
認証処理部１７によってユーザの認証を行う場合は、主として、次のような処理を実行する。
認証処理部１７によってユーザの認証を行い、ユーザの認証が成功した場合に、画像取得部１３が、印刷書面情報を取得する。
次に、印刷順序設定部１９が、記憶部５０に記憶された印刷設定情報を利用して、画像取得部１３によって取得された印刷書面情報の印刷順序を設定し、さらに、印刷面向き設定部２０が、記憶部５０に記憶された印刷設定情報を利用して、印刷実行部２１によって印刷書面情報が印刷された印刷用紙を出力するときの印刷面の向きを設定する。
その後、印刷実行部２１が、設定された印刷順序に基づいて、取得された印刷書面情報を用紙に印刷し、出力部１６が、設定された印刷面の向きに基づいて、印刷された印刷用紙を出力する。
【００８２】
図６のステップS1において、ユーザが、操作部１２によって、入力操作をしたか否かをチェックする。
画像形成装置が有する多数の機能を実行させるために、種々の入力操作がされるが、ここでは、まず、認証モードに入るための認証情報の入力と、課金モードに入るための入力のどちらの入力操作が行われたか否かのチェックを行うものとする。
ただし、他の入力操作が行われた場合は、その入力操作に対応した処理が実行される。
【００８３】
ステップS2において、認証モードに入るための認証情報の入力が行われた場合は、ステップS5に進み、そうでない場合は、ステップS3に進む。
認証情報の入力は、たとえば、ユーザの認証情報が記憶されている認証用カードを読み取らせることや、ユーザの指紋を読み取らせることによって行えばよい。
【００８４】
ステップS3において、課金モードに入るための入力が行われた場合は、ステップS4に進み、そうでない場合は、ステップS1に戻る。
ステップS4において、課金処理部１８が、課金モードによる印刷処理を実行する。
この印刷処理では、所定の金額の料金の支払いがあった後に、印刷書面情報が取得され、その印刷書面情報の印刷処理が実行される。
【００８５】
課金モードにおける印刷書面情報の印刷処理では、たとえば、図３に示した課金印刷設定を利用して、複数ページからなる印刷書面情報の印刷が行われ、印刷書面情報の最初のページP1が最初に印刷され、その後、２ページ目、３ページ目というように、正順に印刷され、最後に、最後のページPnが印刷されて、全てのページの印刷面が下向きの状態で出力される。
したがって、全ページの印刷が完了した場合、出力された複数の印刷用紙の一番上には、印刷面が下向きの状態の最後のページPnがある状態となる。
課金モードの印刷処理の一実施例については、後述する図１１の実施例５に示す。
【００８６】
ステップS5において、認証処理部１７が、入力されたユーザの認証情報の認証処理を行う。
たとえば、通信部１５によって、入力されたユーザの認証情報を、認証サーバ３に送信し、認証サーバ３において、入力されたユーザの認証情報と、認証サーバ３に予め記憶されているそのユーザの認証情報とを照合し、両者が一致するか否かをチェックし、認証結果を画像形成装置に返信する。
一致した場合は、認証が成功したことを示す情報（認証成功）を、画像形成装置に返信する。
一致しなかった場合は、認証が失敗したことを示す情報（認証失敗）を、画像形成装置に返信する。
【００８７】
ステップS6において、認証サーバ３からの認証結果を受信し、認証結果が認証成功であった場合は、ステップS8に進み、認証結果が認証失敗であった場合は、ステップS7に進む。
ステップS7において、認証に失敗したことを示す情報を、表示部１４に表示し、ユーザに通知し、処理を終了する。
認証失敗の通知は、表示だけでなく、他の方法、たとえば、音声による通知や、ユーザの所有する携帯端末などの情報処理装置PCへの情報の送信により行ってもよい。
【００８８】
認証が成功した場合は、以下のステップS8からS12に示す認証モードの印刷処理を行う。
ステップS8において、記憶部５０に予め記憶されている印刷設定情報５２を読み出す。
ここでは、認証モードに入っているので、印刷設定情報５２のうち、認証印刷設定を読み出す。
ただし、複数の認証印刷設定が記憶されている場合は、表示部１４に、認証印刷設定の選択用画面を表示し、ユーザに所望の認証印刷設定を選択してもらうようにすればよい。
【００８９】
ステップS9において、画像取得部１３が、印刷しようとする文書の印刷書面情報５１を取得し、記憶部５０に記憶する。
たとえば、ユーザが持参した文書の各ページを、スキャナで読み取り、印刷書面情報５１として記憶する。
あるいは、ユーザが、所定の入力操作をして、プリントサーバ４に、所望の文書を取得するための要求情報を送信し、プリントサーバ４に予め記憶されている文書の印刷書面情報５１を受信し、記憶部５０に記憶する。
また、ユーザが、印刷書面情報を予め記憶したＵＳＢメモリを画像形成装置に接続し、ＵＳＢメモリから、印刷書面情報５１を読み出して、記憶部５０に記憶してもよい。
記憶された印刷書面情報５１が複数のページからなる場合は、次のステップにより、印刷順序と、印刷面の向きが設定される。
【００９０】
ステップS10において、印刷順序設定部１９が、読み出した認証印刷設定を利用して、記憶された印刷書面情報５１の印刷順序を設定する。
ここでは、複数のページを印刷する順序と、印刷先頭ページと、印刷最終ページを設定する。
たとえば、印刷書面情報５１が、１０ページの画像データであり、読み出した認証印刷設定が、図３に示した認証印刷設定１である場合、印刷順序を逆順に設定し、印刷先頭ページを１０ページ目とし、印刷最終ページを１ページ目とし、１０ページ目から１ページ目までの順に印刷するように設定する。
【００９１】
ステップS11において、印刷面向き設定部２０が、読み出した認証印刷設定を利用して、印刷された用紙を出力する時の印刷面の向きを設定する。
ここでは、印刷面を上向きとするページと、印刷面を下向きとするページとを、読み出した認証印刷設定のとおりに設定する。
たとえば、印刷書面情報５１が、１０ページの画像データであり、読み出した認証印刷設定が、図３に示した認証印刷設定１である場合、１０ページ目から１ページ目まですべてのページの印刷面の向きを上向きに設定する。
上記のステップS10とS11の処理により、印刷する各ページの印刷順序と、印刷面の向きが決定される。
【００９２】
ステップS12において、印刷実行部２１が、設定された印刷順序と印刷面の向きに基づいて、印刷処理を実行する。
すべてのページの印刷が終了すると、印刷最終ページが一番上にあり、印刷最終ページの印刷面が設定された向きの状態で出力されている。
たとえば、印刷書面情報５１が、１０ページの画像データであり、読み出した認証印刷設定が、図３に示した認証印刷設定１である場合、図５（a）に示したように、まず、１０ページ目が、印刷面が上向きの状態で出力される。次に、９ページ目、８ページ目というように、その順に、印刷面が上向きの状態で出力され、最後に、１ページ目が、印刷面が上向きの状態で出力される。
【００９３】
以上が、この発明の画像形成装置の全体的な印刷処理のフローチャートである。
以下に、図６のステップS10からステップS12に相当する部分の処理について、各実施例のフローチャートを示す。
【００９４】
（印刷処理の実施例１）
図７に、この発明の画像形成装置における実施例１の印刷処理のフローチャートを示す。
ここでは、図３に示した認証印刷設定１を利用して、図４の実施例１に示した印刷順序と、出力用紙の印刷の向きで、印刷が行われる場合を示す。
【００９５】
図７のステップS21において、認証印刷設定１の印刷順序が「逆順」なので、印刷書面情報５１の印刷順序を、逆順に設定する。
ステップS22において、読み出した認証印刷設定１の印刷面の向きは、すべてのページについて上向きなので、印刷書面情報５１のすべてのページについて、出力時の印刷用紙の印刷面の向きを、上向きに設定する。
ステップS23において、認証印刷設定１の印刷先頭ページが最後のページPnなので、印刷書面情報５１の最後のページPnを、最初に印刷するページに設定する。
また、印刷順序が「逆順」となっていることもあり、印刷最終ページは、認証印刷設定１のように、印刷書面情報５１の最初のページP1となる。
【００９６】
ステップS24において、上記設定に基づいて、印刷書面情報５１の各ページの印刷処理を実行する。
すなわち、印刷書面情報５１の最後のページPnから順に、最初のページP1まで、逆順に印刷を実行する。印刷用紙の出力は、印刷面が上向きとなるように行われる。
ステップS25において、最後に印刷する最初のページP1が出力されていない場合は、ステップS24に戻って、順次、次のページの印刷を繰り返し、最後に印刷する最初のページP1が出力された場合は、処理を終了する。
【００９７】
この実施例１の場合、印刷最終ページが印刷書面情報の最初のページP1であり、最も上にある最初のページP1の印刷面は上向きであって、ユーザが最初のページP1の内容をすぐに見られる状態であるので、ユーザが、出力された複数の用紙のうち、最も上にある用紙の印刷面が、印刷書面情報の最初のページP1の印刷面であることを確認することにより、すべての用紙の印刷が完了したことを認識できる。
すなわち、一部の印刷用紙がまだ出力されていない状態で用紙を取り去ってしまうことを防止でき、ユーザの印刷用紙の取り忘れを軽減することができる。
【００９８】
（印刷処理の実施例２）
図８に、この発明の画像形成装置における実施例２の印刷処理のフローチャートを示す。
ここでは、図３に示した認証印刷設定２を利用して、図４の実施例２に示した印刷順序と、出力用紙の印刷の向きで、印刷が行われる場合を示す。
【００９９】
図８のステップS31において、認証印刷設定２の印刷順序が「正順」なので、印刷書面情報５１の印刷順序を、正順に設定する。
ステップS32において、認証印刷設定２の印刷先頭ページが２ページ目P2なので、印刷書面情報５１の２ページ目P2を、最初に印刷するページに設定する。
ステップS33において、認証印刷設定２の印刷最終ページが最初のページP1なので、印刷書面情報５１の最初のページP1を、最後に印刷するページに設定する。
ステップS34において、読み出した認証印刷設定２の印刷面の向きにおいて、２ページ目P2から最後のページPnについては、下向きなので、出力時の印刷用紙の印刷面の向きを、下向き（フェイスダウン）に設定する。
【０１００】
ステップS35において、印刷書面情報５１の２ページ目P2から最後のページPnについて、正順に、印刷を実行する。
２ページ目P2から最後のページPnまでの印刷では、印刷用紙の出力は、印刷面が下向きとなるように行われる。
ステップS36において、最後のページPnが出力されていない場合は、ステップS35に戻って、順次、次のページの印刷を繰り返し、最後のページPnが出力された場合は、ステップS37に進む。
【０１０１】
ステップS37において、読み出した認証印刷設定２の印刷面の向きにおいて、最初のページP1については上向きなので、最初のページP1を印刷するために、出力時の印刷用紙の印刷面の向きを、上向き（フェイスアップ）に設定する。
ステップS38において、印刷書面情報５１の最初のページP1（１ページ目）について、最後に印刷を実行する。最初のページP1の印刷では、印刷用紙の出力は、印刷面が上向きとなるように行われる。
【０１０２】
この実施例２の場合も、印刷最終ページが印刷文書の最初のページP1であり、最も上にある最初のページP1の印刷面は上向きであって、ユーザが最初のページP1の内容をすぐに見られる状態であるので、ユーザが、出力された複数の用紙のうち、最も上にある用紙の印刷面が、印刷書面情報の最初のページP1の印刷面であることを確認することにより、すべての用紙の印刷が完了したことを認識できる。
すなわち、一部の印刷用紙がまだ出力されていない状態で用紙を取り去ってしまうことを防止でき、ユーザの印刷用紙の取り忘れを軽減することができる。
また、最初のページP1を除く印刷書面情報のすべてのページ（P2からPnまで）の印刷面の向きが下向き（フェイスダウン）であるので、出力用紙の印刷面が原則として下向き（フェイスダウン）となる画像形成装置では、実施例１の場合に比べて、実施例２の方が、印刷の高速化を図ることができる。
【０１０３】
（印刷処理の実施例３）
図９に、この発明の画像形成装置における実施例３の印刷処理のフローチャートを示す。
ここでは、図３に示した認証印刷設定３を利用して、図４の実施例３に示した印刷順序と、出力用紙の印刷の向きで、印刷が行われる場合を示す。
【０１０４】
図９のステップS41において、認証印刷設定３の印刷順序が「正順」なので、印刷書面情報５１の印刷順序を、正順に設定する。
ステップS42において、認証印刷設定３の印刷先頭ページが最初のページ（１ページ目）P1なので、印刷書面情報５１の最初のページP1を、最初に印刷するページに設定する。
ステップS43において、印刷書面情報５１の内容から、書面情報ページ（バナーページ）P0を生成する。書面情報ページP0がすでに記憶されている場合は、記憶部５０から読み出す。
【０１０５】
ステップS44において、認証印刷設定３の印刷最終ページが書面情報ページP0なので、印刷書面情報５１の書面情報ページP0を、最後に印刷するページに設定する。
ステップS45において、読み出した認証印刷設定３の印刷面の向きにおいて、最初のページP1から最後のページPnについては、下向きなので、出力時の印刷用紙の印刷面の向きを、下向き（フェイスダウン）に設定する。
【０１０６】
ステップS46において、印刷書面情報５１の最初のページP1から最後のページPnについて、正順に、印刷を実行する。
最初のページP1から最後のページPnまでの印刷では、印刷用紙の出力は、印刷面が下向きとなるように行われる。
ステップS47において、最後のページPnが出力されていない場合は、ステップS46に戻って、順次、次のページの印刷を繰り返し、最後のページPnが出力された場合は、ステップS48に進む。
【０１０７】
ステップS48において、読み出した認証印刷設定３の印刷面の向きにおいて、書面情報ページP0については上向きなので、書面情報ページP0を印刷するために、出力時の印刷用紙の印刷面の向きを、上向き（フェイスアップ）に設定する。
ステップS49において、印刷書面情報５１の書面情報ページP0について、最後に印刷を実行する。書面情報ページP0の印刷では、印刷用紙の出力は、印刷面が上向きとなるように行われる。
【０１０８】
この実施例３の場合は、印刷最終ページが印刷文書の書面情報ページP0であり、最も上にある書面情報ページP0の印刷面は上向きであって、ユーザが書面情報ページP0の内容をすぐに見られる状態であるので、ユーザが、出力された複数の用紙のうち、最も上にある用紙の印刷面が、書面情報ページP0の印刷面であることを確認することにより、すべての用紙の印刷が完了したことを認識できる。
すなわち、一部の印刷用紙がまだ出力されていない状態で用紙を取り去ってしまうことを防止でき、ユーザの印刷用紙の取り忘れを軽減することができる。
また、書面情報ページP0を除く印刷書面情報のすべてのページ（P1からPnまで）の印刷面の向きが下向き（フェイスダウン）であるので、出力用紙の印刷面が原則として下向き（フェイスダウン）となる画像形成装置では、実施例１の場合に比べて、実施例３の方が、印刷の高速化を図ることができる。
【０１０９】
（印刷処理の実施例４）
図１０に、この発明の画像形成装置における実施例４の印刷処理のフローチャートを示す。
ここでは、図３に示した認証印刷設定４を利用して、図４の実施例４に示した印刷順序と、出力用紙の印刷の向きで、印刷が行われる場合を示す。
色付き用紙の色は、印刷書面情報の各ページを印刷する用紙の色と異なる色であるものとする。
【０１１０】
図１０のステップS51において、認証印刷設定４の印刷順序が「正順」なので、印刷書面情報５１の印刷順序を、正順に設定する。
ステップS52において、認証印刷設定４の印刷先頭ページが最初のページ（１ページ目）P1なので、印刷書面情報５１の最初のページP1を、最初に印刷するページに設定する。
【０１１１】
ステップS53において、認証印刷設定４の印刷最終ページが色付き用紙なので、色付き用紙を、最後に印刷するページに設定する。
ステップS54において、読み出した認証印刷設定４の印刷面の向きにおいて、最初のページP1から最後のページPnの全てのページについて、下向きなので、出力時の印刷用紙の印刷面の向きを、下向き（フェイスダウン）に設定する。
【０１１２】
ステップS55において、印刷書面情報５１の最初のページP1から最後のページPnについて、正順に、印刷を実行する。
最初のページP1から最後のページPnまでの印刷では、印刷用紙の出力は、印刷面が下向きとなるように行われる。
ステップS56において、最後のページPnが出力されていない場合は、ステップS55に戻って、順次、次のページの印刷を繰り返し、最後のページPnが出力された場合は、ステップS57に進む。
ステップS57において、色付き用紙が収納されている給紙カセットあるいは手差しトレイから、色付き用紙を取り出して、出力する。
【０１１３】
この実施例４の場合は、印刷最終ページが色付き用紙であり、印刷書面情報の各ページを印刷した用紙の色と異なる色であるので、ユーザが、出力された複数の用紙のうち、最も上にある用紙が、印刷文書の各ページを印刷した用紙の色と異なる色であることを確認することにより、すべての用紙の印刷が完了したことを容易に認識できる。
すなわち、一部の印刷用紙がまだ出力されていない状態で用紙を取り去ってしまうことを防止でき、ユーザの印刷用紙の取り忘れを軽減することができる。
また、印刷書面情報のすべてのページ（P1からPnまで）の印刷面の向きが下向き（フェイスダウン）であるので、出力用紙の印刷面が原則として下向き（フェイスダウン）となる画像形成装置では、実施例１の場合に比べて、実施例４の方が、印刷の高速化を図ることができる。
【０１１４】
（印刷処理の実施例５）
図１１に、この発明の画像形成装置における実施例５の印刷処理のフローチャートを示す。
ここでは、図３に示した課金印刷設定を利用して、図４の実施例５に示した印刷順序と、出力用紙の印刷の向きで、印刷が行われる場合を示す。
実施例５の印刷処理は、課金モードの印刷処理であり、所定の金額の料金が支払われ、印刷書面情報が取得された場合に実行される。
【０１１５】
図１１のステップS61において、課金印刷設定の印刷順序が「正順」なので、印刷書面情報５１の印刷順序を、正順に設定する。
ステップS62において、課金印刷設定の印刷先頭ページが最初のページ（１ページ目）P1なので、印刷書面情報５１の最初のページP1を、最初に印刷するページに設定する。
ステップS63において、課金印刷設定の印刷最終ページが最後のページPnなので、印刷書面情報５１の最後のページPnを、最後に印刷するページに設定する。
ステップS64において、読み出した課金印刷設定の印刷面の向きにおいて、最初のページP1から最後のページPnの全てのページについて、下向きなので、出力時の印刷用紙の印刷面の向きを、下向き（フェイスダウン）に設定する。
【０１１６】
ステップS65において、印刷書面情報５１の最初のページP1から最後のページPnについて、正順に、印刷を実行する。
最初のページP1から最後のページPnまでの印刷では、印刷用紙の出力は、印刷面が下向きとなるように行われる。
ステップS66において、最後のページPnが出力されていない場合は、ステップS65に戻って、順次、次のページの印刷を繰り返し、最後のページPnが出力された場合は、処理を終了する。
この実施例５では、印刷書面情報のすべてのページ（P1からPnまで）の印刷面の向きが下向き（フェイスダウン）であるので、出力用紙の印刷面が原則として下向き（フェイスダウン）となる画像形成装置では、印刷の高速化を図ることができる。
【符号の説明】
【０１１７】
１  画像形成装置（MFP）、
２  情報処理装置（PC）、
３  認証サーバ、
４  プリントサーバ、
５  ネットワーク、
１１  制御部、
１２  操作部、
１３  画像取得部、
１４  表示部、
１５  通信部、
１６  出力部、
１７  認証処理部、
１８  課金処理部、
１９  印刷順序設定部、
２０  印刷面向き設定部、
２１  印刷実行部、
５０  記憶部、
５１  印刷書面情報、
５２  印刷設定情報、
５３  印刷順序、
５４  印刷面向き、
５５  認証情報、
５６  課金情報
【図１】
2019123102.tif 000003
【図２】
2019123102.tif 000004
【図３】
2019123102.tif 000005
【図４】
2019123102.tif 000006
【図５】
2019123102.tif 000007
【図６】
2019123102.tif 000008
【図７】
2019123102.tif 000009
【図８】
2019123102.tif 000010
【図９】
2019123102.tif 000011
【図１０】
2019123102.tif 000012
【図１１】
2019123102.tif 000013